(57)【要約】【課題】差し込み式の蛍光灯用ソケットと、挟み込み式の蛍光灯用ソケットとに共通して使用することができる端子を提供する。【解決手段】挟持部（４１）に一対の扁平形状の挟持片（５１）を内側縁部（５３）を対峙させて並設し、前記一対の挟持片（５１）により形成される挿通間隙（５８）は、ランプピン（７２）の移動方向に開放し、且つランプピン（７２）を挿通して導通状態とする間隔を確保する。前記各挟持片（５１）の内側縁部（５３）には接片（５４）を延設する。これにより、端子（４）の挟持部（４１）の正面方向及び、挟持部（４１）の周縁方向からランプピン（７２）を挟み込むことができ、いずれの着脱方式の蛍光灯用ソケットであっても端子（４）を兼用して使用することができる。【選択図】        図１
2004296262.tif 000002
【特許請求の範囲】
【請求項１】
非導通状態の蛍光灯（７）のランプピン（７２）をその軸方向に移動させて導通状態とする蛍光灯用ソケット（１）に、または非導通状態の蛍光灯（７）のランプピン（７２）をその軸方向と交差する方向に移動させて導通状態とする蛍光灯用ソケット（１）に具備される端子であって、
挟持部（４１）に一対の扁平形状の挟持片（５１）が内側縁部（５３）を対峙させて並設され、前記一対の挟持片（５１）により形成される挿通間隙（５８）は、ランプピン（７２）の移動方向に開放され、且つランプピン（７２）を挿通して導通状態とする間隔が確保されており、
前記各挟持片（５１）の内側縁部（５３）には前記挿通間隙（５８）内に向けて接片（５４）が延設され、前記接片（５４）は導通状態にあるランプピン（７２）の先端方向へ折曲されることを特徴とする端子。
【請求項２】
各挟持片（５１）に延設される接片（５４）は、各々対向部（５５）と折曲部（５６）とを有し、前記対向部（５５）は接片（５４）の固定端側において挟持片（５１）と略同一平面内に形成され、前記折曲部（５６）は接片（５４）の自由端側において導通状態にあるランプピン（７２）の先端方向へ折曲して形成されることを特徴とする請求項１に記載の端子。
【請求項３】
前記挟持片（５１）の内側縁部（５３）に当接部（５７）が形成され、前記当接部（５７）は、挿通間隙（５８）内に向けて接片（５４）より突出させ、かつ接片（５４）より挟持片（５１）の自由端に近い位置に形成されることを特徴とする請求項１または２のいずれか一項に記載の端子。
【請求項４】
ソケット本体（２）、摺動体（３）、端子（４）を備え、前記ソケット本体（２）の前面には開口部（２３）が形成され、前記摺動体（３）は進入端部（３３）を有するランプピン案内溝（３２）が形成されるとともに前記開口部（２３）に摺動可能に配設されており、
前記端子（４）は、挟持部（４１）に一対の扁平形状の挟持片（５１）が内側縁部（５３）を対峙させて並設され、前記一対の挟持片（５１）により形成される挿通間隙（５８）は、前記進入端部（３３）に向けて開放され、且つランプピン（７２）を挿通して導通状態とする間隔が確保されており、
前記各挟持片（５１）の内側縁部（５３）には前記挿通間隙（５８）内に向けて接片（５４）が延設され、前記接片（５４）は導通状態にあるランプピン（７２）の先端方向へ折曲されるとともに、前記端子（４）は摺動体（３）のランプピン案内溝（３２）の内側に配設されていることを特徴とする蛍光灯用ソケット。
【発明の詳細な説明】
【０００１】
【発明が属する技術分野】
本発明は、蛍光灯用ソケット及び蛍光灯用ソケットに使用される端子に関するものである。
【０００２】
【従来の技術】
蛍光灯用ソケットは、蛍光灯を所定の位置に固定し、点灯させるために使用される。蛍光灯には複数のランプピンが具備されており、蛍光灯用ソケットに装着されて導通状態とされた蛍光灯の各ランプピンは、蛍光灯用ソケットに具備された端子と接触している。また、非導通状態とされた蛍光灯の各ランプピンは、端子から離脱している。
【０００３】
従来、蛍光灯用ソケットと蛍光灯とを非導通状態から導通状態とし、あるいは導通状態から非導通状態とする着脱方式には種々のものがある。差し込み式の蛍光灯用ソケットは、非導通状態の蛍光灯のランプピンをその軸方向に移動させて導通状態とする着脱方式である。また、挟み込み式の蛍光灯用ソケットは、非導通状態の蛍光灯のランプピンをその軸方向と交差する方向に移動させて導通状態とする着脱方式である。
【０００４】
第一の従来例は、差し込み式の蛍光灯用ソケットであって、ソケット本体、摺動体、端子を備えている。前記ソケット本体の前面には開口部が形成され、前記摺動体はランプピン挿入孔が形成されるとともに前記開口部に摺動可能に配設される。前記端子は挟持部にスリット幅のあるＨ形スリットを形成することによりランプピンの挿通間隙及び一対の接片が形成され、前記一対の接片に折曲部が形成される。端子は摺動体のランプピン挿入孔の内側に配設されている（例えば、特許文献１参照。）。
この差し込み式の蛍光灯用ソケットでは、非導通状態にある蛍光灯用ソケットと蛍光灯とを導通状態とする場合、蛍光灯のランプピンをその軸方向に前進させて摺動体のランプピン挿入孔に差し込ませる。すると、摺動体の内側に配設した端子の挟持部の正面方向から挿通間隙にランプピンが差し込まれ、ランプピンは折曲部で挟持される。非導通状態とする場合には、蛍光灯のランプピンをその軸方向に後退させて接片の折曲部から抜脱させる。
【０００５】
第二の従来例は、差し込み式の蛍光灯用ソケットであり、その端子は、一対の挟持片の挟持片面が対峙して挿通間隙を形成している。挟持片面は各挟持片における幅の広い面である。挟持部の正面方向から挿通間隙に差し込まれたランプピンは挟持片の挟持片面で挟持される（例えば、特許文献２参照。）。
【０００６】
第三の従来例は、挟み込み式の蛍光灯用ソケットであって、ソケット本体、端子を備えている。前記ソケット本体には上方に進入端部を有するランプピン案内溝が前面に形成される。前記端子の挟持部には、前記進入端部に向けて開放された部分を有するスリットが形成されて一対の挟持片が形成されている。また、スリットは略Ｖ字型の切り込みを有している。端子はランプピン案内溝の内側に配設されている（例えば、特許文献３参照。）。
この挟み込み式の蛍光灯用ソケットでは、非導通状態にある蛍光灯用ソケットと蛍光灯とを導通状態とする場合、蛍光灯のランプピンを前記ランプピン案内溝の進入端部からランプピン案内溝に進入させる。ランプピンはその軸方向と交差する方向に移動される。ランプピンが端子の挟持部に当接すると、挟持部に形成されたスリットがランプピンで拡開されて挿通間隙が形成される。ランプピンはこの挿通間隙に挟み込まれ、挟持片で挟持される。非導通状態とする場合には、ランプピンをランプピン案内溝の進入端部の方向に移動させて挟持片から抜脱させる。
【０００７】
【特許文献１】
実用新案登録第２５８０２１７号  第１図
【特許文献１】
実用新案登録第２５８０２１７号  第１０図
【特許文献３】
米国特許第３６３９８８７号明細書
【０００８】
【発明が解決しようとする課題】
前記第一の従来例の端子では、挟持部にＨ形スリットを形成することで挿通間隙及び一対の接片が形成されている。挿通間隙は正面のみが開放されており、挿通間隙の周縁部分には開放された部分はない。このため、挟持部の正面方向からランプピンを差し込むことができるが、挟持部の周縁の方向からランプピンを挟み込むことができない。従って、第一の従来例の端子を挟み込み式の蛍光灯用ソケットに使用することはできない。
【０００９】
前記第二の従来例の端子では、一対の挟持片により形成される挿通間隙には、正面及び上部に開放された部分がある。このため端子の挟持部の正面方向からランプピンを差し込むことができ、挟持部の周縁の方向からもランプピンを挟み込むことができる。しかし、挟持片は挟持片面が相互に対向しており、主として挟持片の曲げ変形によってランプピンが挟持される。このため、曲げ変形以外の変形による挟持力を生じず、ランプピンの挟持力が弱い。また曲げ変形による応力が曲げ部に集中するため、長期間ランプピンを挟持すると、挟持力が低下する現象が生じる。挟み込み式の蛍光灯用ソケットでは、ランプピンを挟持して蛍光灯を固定するため、挟持力が大きい端子が必要であり、長期間に渡って挟持力を維持する端子が必要である。従って、第二の従来例の端子を挟み込み式の蛍光灯用ソケットに使用することはできない。
【００１０】
前記第三の従来例の端子では、挟持部にスリットを形成することで挿通間隙が形成されている。挿通間隙には、正面及び上部に開放された部分がある。しかし、この挿通間隙はランプピンが略Ｖ字型の切り込みに当接してスリットを拡開して形成するものである。このため、挟持部の正面方向からランプピンを差し込んで当接させてもスリットは拡開せず、ランプピンを挟持部に挟持させることはできない。従って、第三の従来例の端子を差し込み式の蛍光灯用ソケットに使用することはできない。
【００１１】
このように従来は、蛍光灯用ソケットと蛍光灯との着脱方式が異なる蛍光灯用ソケットの間において、端子を共通して使用することができないという問題があった。本発明は、前記問題点に鑑みてなされたものであって、第一の目的は、着脱方式が異なる蛍光灯用ソケットの間において共通して使用することができる端子を提供することにある。また第二の目的は、このような端子を備えた蛍光灯用ソケットを提供することにある。
【００１２】
【課題を解決するための手段】
前記第一の目的を達成するため、請求項１に記載の発明では、非導通状態の蛍光灯（７）のランプピン（７２）をその軸方向に移動させて導通状態とする蛍光灯用ソケット（１）に、または非導通状態の蛍光灯（７）のランプピン（７２）をその軸方向と交差する方向に移動させて導通状態とする蛍光灯用ソケット（１）に具備される端子であって、挟持部（４１）に一対の扁平形状の挟持片（５１）が内側縁部（５３）を対峙させて並設され、前記一対の挟持片（５１）により形成される挿通間隙（５８）は、ランプピン（７２）の移動方向に開放され、且つランプピン（７２）を挿通して導通状態とする間隔が確保されており、前記各挟持片（５１）の内側縁部（５３）には前記挿通間隙（５８）内に向けて接片（５４）が延設され、前記接片（５４）は導通状態にあるランプピン（７２）の先端方向へ折曲される端子とした。
【００１３】
請求項２に記載の発明では、請求項１に記載の発明において、各挟持片（５１）に延設される接片（５４）は、各々対向部（５５）と折曲部（５６）とを有し、前記対向部（５５）は接片（５４）の固定端側において挟持片（５１）と略同一平面内に形成され、前記折曲部（５６）は接片（５４）の自由端側において導通状態にあるランプピン（７２）の先端方向へ折曲して形成されることとした。
【００１４】
請求項３に記載の発明では、請求項１または２のいずれか一項に記載の発明において、前記挟持片（５１）の内側縁部（５３）に当接部（５７）が形成され、前記当接部（５７）は、挿通間隙（５８）内に向けて接片（５４）より突出させ、かつ接片（５４）より挟持片（５１）の自由端に近い位置に形成されることとした。
【００１５】
また、前記第二の目的を達成するため、請求項４に記載の発明では、ソケット本体（２）、摺動体（３）、端子（４）を備え、前記ソケット本体（２）の前面には開口部（２３）が形成され、前記摺動体（３）は進入端部（３３）を有するランプピン案内溝（３２）が形成されるとともに前記開口部（２３）に摺動可能に配設されており、前記端子（４）は、挟持部（４１）に一対の扁平形状の挟持片（５１）が内側縁部（５３）を対峙させて並設され、前記一対の挟持片（５１）により形成される挿通間隙（５８）は、前記進入端部（３３）に向けて開放され、且つランプピン（７２）を挿通して導通状態とする間隔が確保されており、前記各挟持片（５１）の内側縁部（５３）には前記挿通間隙（５８）内に向けて接片（５４）が延設され、前記接片（５４）は導通状態にあるランプピン（７２）の先端方向へ折曲されるとともに、前記端子（４）は摺動体（３）のランプピン案内溝（３２）の内側に配設されている蛍光灯用ソケットとした。
【００１６】
（作用）
従って、請求項１に記載の発明では、一対の挟持片（５１）により、ランプピン（７２）の移動方向に開放され、且つランプピン（７２）を挿通して導通状態とする間隔が確保されている。挿通間隙（５８）は正面が開放されており、挿通間隙（５８）の周縁部分にも開放された部分が形成されている。このため端子（４）の挟持部（４１）の正面方向からランプピン（７２）を差し込むことができ、挟持部（４１）の周縁の開放された部分からもランプピン（７２）を挟み込むことができる。
【００１７】
請求項２に記載の発明では、接片（５４）の対向部（５５）は、接片（５４）の固定端側において挟持片（５１）と略同一平面内に形成される。外側向きの力が対向部（５５）に作用しても、対向部（５５）の固定端付近に曲げ変形は生じにくい。このためランプピン（７２）を挟持すると、対向部（５５）がほとんど曲げ変形を起さずに応力を挟持片（５１）に伝達し、挟持片（５１）は両側に拡開する変形を生じる。よって、ランプピン（７２）は、接片（５４）の弾性変形による挟持力だけでなく、その外側の挟持片（５１）の弾性変形で生じる挟持力によっても挟持される。
【００１８】
請求項３に記載の発明では、挟持片（５１）の内側縁部（５３）に当接部（５７）が形成される。前記当接部（５７）は、導通状態にある蛍光灯（７）のランプピン（７２）の周面であって、挟持片（５１）の自由端側に当接する。
【００１９】
端子（４）の挟持部（４１）に形成された挿通間隙（５８）は、ランプピン案内溝（３２）の進入端部（３３）に向けて開放され、且つランプピン（７２）を挿通して導通状態とする間隔が確保される。蛍光灯（７）のランプピン（７２）を前記ランプピン案内溝（３２）の進入端部（３３）からランプピン案内溝（３２）に進入させると、ランプピン（７２）は挟持部（４１）の周縁方向からこの挿通間隙（５８）に挟み込まれ、挟持片（５１）で挟持される。また、挟持部（４１）の正面方向からランプピン（７２）を差し込むようにしても、ランプピン（７２）はこの挿通間隙（５８）に挟み込まれ、挟持片（５１）で挟持される。
【００２０】
【発明の実施の形態及び実施例】
（第一の実施形態）
以下、本発明を具体化した第一の実施形態を図１から図５に従って説明する。第一の実施形態は、直管形の蛍光灯（７）に使用される差し込み式の蛍光灯用ソケット（１）である。図３に示すように蛍光灯用ソケット（１）は、ソケット本体（２）、摺動体（３）、端子（４）を備えている。前記ソケット本体（２）は本体主部（２１）と本体蓋部（２２）とから構成される。本体主部（２１）は前面が開口しており、摺動体（３）及び端子（４）を収容する空間を有している。本体蓋部（２２）は本体主部（２１）の前面に形成される開口の一部を被覆する。本体主部（２１）に対して本体蓋部（２２）が装着されることにより、摺動体（３）が配設される開口部（２３）（図４参照）が形成される。前記摺動体（３）はランプピン挿入孔（３１）が前面に形成されている。ランプピン挿入孔（３１）からランプピン（７２）を差し込むことができる。後端には前記開口部（２３）からの抜脱を防止する抜け止め（３４）が形成される。摺動体（３）はソケット本体（２）に形成された前記開口部（２３）に摺動可能に配設される。摺動体（３）は蛍光灯（７）の口金部（７１）と当接する部分である。ソケット本体（２）に配設された摺動体（３）は弾性体（６）としてのバネにより外向きに付勢される。
【００２１】
前記端子（４）は図３に示すように挟持部（４１）、接続部（４２）、端子主部（４３）を備えている。端子（４）は導通性とばね性のある金属板で形成される。挟持部（４１）は蛍光灯用ソケット（１）に差し込まれたランプピン（７２）を挟持する。接続部（４２）は外部からリード線（図示せず）に接続され、電源に接続される。端子主部（４３）は接続部（４２）と挟持部（４１）を導通状態で連結する。
【００２２】
図１に示すように、前記端子（４）の挟持部（４１）は一対の挟持片（５１）を備えている。挟持片（５１）は挟持部（４１）の挟持基部（４４）に立設される。挟持片（５１）は挿通間隙（５８）を確保して並設される。各挟持片（５１）は扁平な形状である。一対の挟持片（５１）は、同一平面内に形成される。各挟持片（５１）における幅の広い面を挟持片面（５２）とし、挟持片面（５２）の両縁部のうち、挿通間隙（５８）に面する内側部分を内側縁部（５３）とする。従って、一対の挟持片（５１）は内側縁部（５３）を対峙させて並設される。挟持部（４１）に対しては、図示する方向、すなわち挟持部（４１）の正面方向からランプピン（７２）が差し込まれるものとする。挿通間隙（５８）は、ランプピン（７２）の移動方向に開放されている。挿通間隙（５８）は、挟持部（４１）の上方にも開放された部分が形成されている。また、挿通間隙（５８）はランプピン（７２）を挿通して導通状態とする間隔が確保されている。
【００２３】
前記各挟持片（５１）の内側縁部（５３）には、挿通間隙（５８）内に向けて接片（５４）が延設される。接片（５４）には各々対向部（５５）と折曲部（５６）とが形成される。対向部（５５）は接片（５４）の固定端側において挟持片（５１）と同一平面内に形成される。また、折曲部（５６）は接片（５４）の自由端側において導通状態にあるランプピン（７２）の先端方向へ折曲される。折曲部（５６）は一定間隔を確保して対峙している。その間隔はランプピン（７２）の直径未満であり、弾性変形により挟持力を発揮でき、かつランプピン（７２）を導通状態で挟持できる間隔である。対向部（５５）の下縁部（５５Ａ）と挟持基部（４４）の間には下部間隙（５９）が形成される。下部間隙（５９）は、対向部（５５）と挟持基部（４４）とが接触しない間隔に形成される。
【００２４】
図５に示すように、前記端子（４）の接続部（４２）、端子主部（４３）はソケット本体（２）の内側に収容される。端子（４）の挟持部（４１）は摺動体（３）の内側に配設される。図４に示すように、挟持部（４１）の接片（５４）はランプピン挿入孔（３１）に臨出するように配設される。
【００２５】
この第一の実施形態では、以下の効果を有する。
（ア）端子（４）の挟持部（４１）の挿通間隙（５８）は、ランプピン（７２）を移動させて差し込む方向に開放されており、非導通状態の蛍光灯（７）のランプピン（７２）をその軸方向に移動させて導通状態とする蛍光灯用ソケット（１）に使用することができる。また、挟持部（４１）の周縁である上方にも開放された部分を有するため、端子（４）を差し込み式の蛍光灯用ソケット（１）だけでなく、挟み込み式の蛍光灯用ソケットに兼用することができる。
（イ）接片（５４）の対向部（５５）は、接片（５４）の固定端側において挟持片（５１）と同一平面内に形成されるため、外側向きの力が対向部（５５）に作用しても、対向部（５５）の固定端付近に曲げ変形は生じにくい。このためランプピン（７２）を挟持すると、対向部（５５）がほとんど曲げ変形を起さずに応力を挟持片（５１）に伝達し、図２に示すように、挟持片（５１）は両側に拡開する変形を生じる。よって、ランプピン（７２）は、接片（５４）の弾性変形による挟持力だけでなく、その外側の挟持片（５１）の弾性変形で生じる挟持力によっても挟持される。これらの挟持力により、ランプピン（７２）は導通状態を確保して安定して挟持される。
（ウ）折曲部（５６）はランプピン（７２）の先端方向へ折曲され、差し込まれたランプピン（７２）の側面に対して沿うように変形する。このため、ランプピン（７２）と面接触し、接触面積が広く、良好な導通状態を確保することができる。
（エ）一対の挟持片（５１）は、同一平面内に形成されているため、ランプピン（７２）を差し込んだ際に挟持部（４１）がねじれることを防止できる。
（オ）折曲部（５６）は導通状態にあるランプピン（７２）の先端方向へ折曲されるため、蛍光灯（７）の差込み操作の際にランプピン（７２）を案内して円滑に差し込むことができ、蛍光灯（７）の差し込み操作を軽い操作力で行うことができる。
（カ）対向部（５５）の下縁部（５５Ａ）と挟持基部（４４）の間には下部間隙（５９）が形成され、下部間隙（５９）は、対向部（５５）と挟持基部（４４）とが接触しない間隔に形成される。ランプピン（７２）を差し込む際には対向部（５５）及び折曲部（５６）が前後方向に変形するが、下縁部（５５Ａ）と挟持基部（４４）とが接触しないため、対向部（５５）の動きが妨げられず、円滑にランプピン（７２）を差し込むことができる。また、導通状態においては、下縁部（５５Ａ）が引っ掛からずに対向部（５５）と挟持片（５１）とが同一平面内にある状態に戻るため、強い挟持力で安定してランプピン（７２）を挟持することができる。
（キ）下部間隙（５９）によって挟持片（５１）と挟持基部（４４）の境界付近が細く、曲がりやすくなり、挟持片（５１）は両側に拡開する変形を生じることによる挟持力を発揮することができる。
【００２６】
次に第二の実施形態を図６から図８に従って説明する。この実施形態の蛍光灯用ソケット（１）は、直管形の蛍光灯（７）に使用される挟み込み式の蛍光灯用ソケット（１）である。前記実施形態と同一部分は同一符号を付して詳しい説明は省略する。
【００２７】
図６に示すように蛍光灯用ソケット（１）は、ソケット本体（２）、端子（４）を備えている。前記ソケット本体（２）は本体主部（２１）と本体蓋部（２２）から構成される。本体主部（２１）は前面が開口しており、端子（４）を収容する空間を有している。本体蓋部（２２）は本体主部（２１）の前面に形成される開口を被覆する。
【００２８】
前記本体蓋部（２２）には保持部（２４）が形成されている。保持部（２４）は蛍光灯（７）の口金部（７１）と当接する部分である。前記保持部（２４）には進入端部（３３）を有するランプピン案内溝（３２）が形成されている。ランプピン案内溝（３２）は進入端部（３３）からランプピン（７２）を進入させることができる。ランプピン案内溝（３２）の下方には、支持部（２５）が形成される（図８参照）。支持部（２５）は端子（４）を支持するものであり、挟持部（４１）の上方からランプピン（７２）が挟み込まれた場合に端子（４）を支持する。
【００２９】
前記端子（４）は第一の実施形態の端子（４）と同一である。図８に示すように端子（４）の接続部（４２）、端子主部（４３）はソケット本体（２）の内側に収容される。端子（４）の挟持部（４１）は保持部（２４）の内側に配設される。図７に示すように、挟持片（５１）により形成される挿通間隙（５８）は挟持部（４１）の周縁である上方に開放されており、この開放された部分がランプピン案内溝（３２）の進入端部（３３）に向けられるように配設される。また、挟持部（４１）の接片（５４）はランプピン案内溝（３２）に臨出するように配設される。
【００３０】
この第二の実施形態では、第一の実施形態の（イ）、（ウ）、（エ）、（カ）、（キ）の効果を有する他に次の効果を有する。
（ク）端子（４）の挟持部（４１）の挿通間隙（５８）は、ランプピン（７２）を移動させて差し込む方向、すなわち上方に開放された部分が形成されており、非導通状態の蛍光灯（７）のランプピン（７２）をその軸方向と交差する方向に移動させて導通状態とする蛍光灯用ソケット（１）に使用することができる。また、挟持部（４１）の正面にも開放された部分があるため、端子（４）を挟み込み式の蛍光灯用ソケット（１）だけでなく、差し込み式の蛍光灯用ソケット（１）にも兼用することができる。
（ケ）ランプピン（７２）は、接片（５４）の弾性変形による挟持力だけでなく、その外側の挟持片（５１）の弾性変形で生じる挟持力によっても挟持されるため、挟持力が強い。このため、蛍光灯用ソケット（１）の取り付け方向に関わらずに蛍光灯（７）を確実に保持することができる。
（コ）折曲部（５６）は導通状態にあるランプピン（７２）の先端方向へ折曲されており、蛍光灯（７）の挟み込み操作の際においてもランプピン（７２）を案内して円滑に差し込むことができ、蛍光灯（７）の挟み込み操作を軽い操作力で行うことができる。
【００３１】
次に第三の実施形態を図９、図１０に従って説明する。この実施形態の蛍光灯用ソケット（１）は、直管形の蛍光灯（７）に使用される挟み込み式の蛍光灯用ソケット（１）であるが、端子（４）の挟持部（４１）に当接部（５７）を形成した点が前記第二の実施形態と異なっている。第二の実施形態と同一部分は同一符号を付して詳しい説明は省略する。
【００３２】
図９に示すように、挟持部（４１）の挟持片（５１）の内側縁部（５３）に当接部（５７）が形成されている。当接部（５７）は挿通間隙（５８）内に向け、接片（５４）より突出させて形成される。当接部（５７）は接片（５４）より挟持片（５１）の自由端に近い位置に形成される。また、導通状態にあるランプピン（７２）に対し、当接部（５７）はそのランプピン（７２）の周面に当接する位置に形成される。
【００３３】
図１０に示すように、ランプピン（７２）が導通状態にある場合において、接片（５４）の折曲部（５６）はランプピン（７２）の周面に接触しており、その接触している部分はランプピン（７２）の断面における直径の両端である。この状態において当接部（５７）はランプピン（７２）の周面に接触しており、その位置は、挟持片（５１）の自由端に近い位置である。
【００３４】
この第三の実施形態では、第一の実施形態の（イ）、（ウ）、（エ）、（カ）、（キ）の効果、第二の実施形態の（ク）、（ケ）、（コ）の効果を有する他に次の効果を有する。
（サ）導通状態にあるランプピン（７２）の周面に当接部（５７）が接触しているため、挟持部（４１）による挟持力に加えて、当接部（５７）が蛍光灯（７）のランプピン（７２）を保持する。このため、蛍光灯用ソケット（１）の取り付け方向に関わらずに蛍光灯（７）を確実に保持することができる。
【００３５】
次に第四の実施形態を図１１から図１３に従って説明する。この実施形態では、差し込み式の蛍光灯用ソケット（１）と挟み込み式の蛍光灯用ソケット（１）との両方の特徴を有する点が前記各実施形態と大きく異なっている。前記各実施形態と同一部分は同一符号を付して詳しい説明は省略する。
【００３６】
図１１に示すように、蛍光灯用ソケット（１）は、ソケット本体（２）、摺動体（３）、端子（４）を備えている。前記ソケット本体（２）は本体主部（２１）と本体蓋部（２２）とから構成される。本体主部（２１）に対して本体蓋部（２２）が装着されることにより、摺動体（３）が配設される開口部（２３）（図１２参照）が形成される。前記摺動体（３）はランプピン案内溝（３２）が前面に形成されている。ランプピン案内溝（３２）は進入端部（３３）からランプピン（７２）を進入させることができるだけでなく、正面からランプピン（７２）を差し込むこともできる。摺動体（３）はソケット本体（２）に形成された前記開口部（２３）に摺動可能に配設される。ソケット本体（２）に配設された摺動体（３）は弾性体（６）としてのバネにより外向きに付勢される。
【００３７】
前記端子（４）は第三の実施形態の端子（４）と同一である。図１３に示すように、端子（４）の接続部（４２）、端子主部（４３）はソケット本体（２）の内側に収容される。端子（４）の挟持部（４１）は摺動体（３）の内側に配設される。図１２に示すように、挟持片（５１）により形成される挿通間隙（５８）は挟持部（４１）の周縁である上方に開放されており、この開放された部分がランプピン案内溝（３２）の進入端部（３３）に向けられるように配設される。また、挟持部（４１）の接片（５４）はランプピン案内溝（３２）に臨出するように配設される。
【００３８】
この第四の実施形態では、第一の実施形態の（イ）、（ウ）、（エ）、（オ）、（カ）、（キ）の効果、第二の実施形態の（ケ）、（コ）の効果、第三の実施形態の（サ）の効果を有する他に次の効果を有する。
（シ）端子（４）の挟持部（４１）の挿通間隙（５８）は、ランプピン（７２）を移動させて差し込む方向に開放されており、非導通状態の蛍光灯（７）のランプピン（７２）をその軸方向に移動させて導通状態とする差し込み式の蛍光灯用ソケット（１）として使用することができる。
（ス）端子（４）の挟持部（４１）の挿通間隙（５８）は、ランプピン（７２）を移動させて差し込む方向に開放されており、非導通状態の蛍光灯（７）のランプピン（７２）をその軸方向と交差する方向に移動させて導通状態とする挟み込み式の蛍光灯用ソケット（１）としても使用することができる。
（セ）差し込み式の蛍光灯用ソケット（１）および挟み込み式の蛍光灯用ソケット（１）として両方の機能を有する蛍光灯用ソケット（１）として使用することができる。
（ソ）通常、蛍光灯（７）をはずす場合にはどちらの着脱方式であるか確認できず、戸惑うことがある。本実施形態の蛍光灯用ソケット（１）であれば、差し込み式および挟み込み式の蛍光灯用ソケット（１）として使用できるから、挟み込み式の外し方、差し込み式の外し方のどちらの着脱方式で行っても蛍光灯（７）を外すことができる。従って、蛍光灯（７）をはずす場合に戸惑うことがない。
（タ）直管形の蛍光灯（７）に使用される蛍光灯用ソケット（１）は、２個同時に使用される。蛍光灯（７）を装着する場合、一方の蛍光灯用ソケット（１）に対しては差し込み方式で装着すれば、容易に蛍光灯（７）の位置を決めることができる。他方の蛍光灯用ソケット（１）に対しては挟み込み方式で装着すれば、摺動体（３）をバネ弾性力に対抗して押し込む必要がなく、迅速かつ容易に蛍光灯（７）を装着することができる。
【００３９】
【発明の効果】
以上詳述したように請求項１に記載の発明によれば、端子（４）の挟持部（４１）の正面方向からランプピン（７２）を差し込むことができ、挟持部（４１）の周縁方向からもランプピン（７２）を挟み込むことができる。差し込み式の蛍光灯用ソケットに使用することができ、挟み込み式の蛍光灯用ソケットにも使用することができる。いずれの着脱方式の蛍光灯用ソケットであっても端子（４）を兼用して使用することができる。
【００４０】
請求項２に記載の発明によれば、ランプピン（７２）は、接片（５４）の弾性変形による挟持力だけでなく、その外側の挟持片（５１）が両側に拡開する弾性変形で生じる挟持力によっても挟持される。このため、ランプピン（７２）の挟持力が強い。また応力が折曲部（５６）の固定端だけでなく、その外側の挟持片（５１）にも分散するため、長期間ランプピン（７２）を挟持しても、挟持力が安定し、挟持力が低下する現象も生じにくい。
【００４１】
請求項３に記載の発明によれば、当接部（５７）は、導通状態にある蛍光灯（７）のランプピン（７２）の周面であって、挟持片（５１）の自由端側に当接する。このため、蛍光灯（７）の不用意な抜脱を防止することができる。
【００４２】
請求項４に記載の発明によれば、端子（４）の挟持部（４１）の正面方向からランプピン（７２）を差し込むようにすると、ランプピン（７２）はこの挿通間隙（５８）に挟み込まれ、挟持片（５１）で挟持される。また、蛍光灯（７）のランプピン（７２）を前記ランプピン案内溝（３２）の進入端部（３３）からランプピン案内溝（３２）に進入させても、ランプピン（７２）は挟持部（４１）の周縁方向からこの挿通間隙（５８）に挟み込まれ、挟持片（５１）で挟持される。このため、差し込み式の蛍光灯用ソケット及び挟み込み式の蛍光灯用ソケット（１）として、両方の着脱方式を備えた蛍光灯用ソケットとすることができる。
【図面の簡単な説明】
【図１】第一の実施形態における、端子（４）の挟持部（４１）の拡大斜視図である。
【図２】第一の実施形態における、端子（４）の挟持部（４１）の拡大正面図である。
【図３】第一の実施形態における、蛍光灯用ソケット（１）の分解斜視図である。
【図４】第一の実施形態における、蛍光灯用ソケット（１）の正面図である。
【図５】図４のＡ―Ａ線における、蛍光灯用ソケット（１）の断面図である。
【図６】第二の実施形態における、蛍光灯用ソケット（１）の分解斜視図である。
【図７】第二の実施形態における、蛍光灯用ソケット（１）の正面図である。
【図８】図７のＢ―Ｂ線における、蛍光灯用ソケット（１）の断面図である。
【図９】第三の実施形態における、端子（４）の挟持部（４１）の拡大斜視図である。
【図１０】第三の実施形態における、端子（４）の挟持部（４１）の拡大正面図である。
【図１１】第四の実施形態における、蛍光灯用ソケット（１）の分解斜視図である。
【図１２】第四の実施形態における、蛍光灯用ソケット（１）の正面図である。
【図１３】図１２のＣ―Ｃ線における、蛍光灯用ソケット（１）の断面図である。
【符号の説明】
（１）      蛍光灯用ソケット
（２）      ソケット本体
（２１）    本体主部
（２２）    本体蓋部
（２３）    開口部
（２４）    保持部
（２５）    支持部
（３）      摺動体
（３１）    ランプピン挿入孔
（３２）    ランプピン案内溝
（３３）    進入端部
（３４）    抜け止め
（４）      端子
（４１）    挟持部
（４２）    接続部
（４３）    端子主部
（４４）    挟持基部
（５１）    挟持片
（５２）    挟持片面
（５３）    内側縁部
（５４）    接片
（５５）    対向部
（５５Ａ）    下縁部
（５６）    折曲部
（５７）    当接部
（５８）    挿通間隙
（５９）    下部間隙
（６）      弾性体
（７）      蛍光灯
（７１）    口金部
（７２）    ランプピン
【図１】
2004296262.tif 000003
【図２】
2004296262.tif 000004
【図３】
2004296262.tif 000005
【図４】
2004296262.tif 000006
【図５】
2004296262.tif 000007
【図６】
2004296262.tif 000008
【図７】
2004296262.tif 000009
【図８】
2004296262.tif 000010
【図９】
2004296262.tif 000011
【図１０】
2004296262.tif 000012
【図１１】
2004296262.tif 000013
【図１２】
2004296262.tif 000014
【図１３】
2004296262.tif 000015